(57)【要約】【課題】地山の斜面に対してプレストレス付与することにより、地盤の変形を確実に抑制する。【解決手段】地山２５の斜面２６に設けられる格子状の枠体２と、地山２５に打設されて枠体２の交点を地山２５に固定する固定手段１０と、枠体２と地山２５の斜面２６との間に介装されて、枠体２を地山２５から離れる方向に押圧する押圧手段１４とを備える。押圧手段１４は、枠体２と地山２５との間に介装される膨張変形可能な袋体１５と、袋体２５内に加圧充填されて袋体１５を介して枠体２を押圧する充填材２０とから構成される。袋体２５の膨張変形によって枠体２が弾性変形して湾曲し、枠体２の反力によって地山２５の斜面２６にプレストレスが付与される。【選択図】図７
2006283548.tif 000002
【特許請求の範囲】
【請求項１】
地山の表面に設けられる格子状の枠体と、地山に打設されて前記枠体の交点を地山に固定する固定手段と、前記枠体と前記地山との間に介装されて、前記枠体を地山から離れる方向に押圧する押圧手段とを備え、
該押圧手段は、前記枠体と前記地山との間に介装される膨張変形可能な袋体と、該袋体内に加圧充填されて該袋体を介して前記枠体を押圧する充填材とからなることを特徴とする法枠構造体。
【請求項２】
前記枠体は、前記地山の表面に格子状に配置される複数の鋼板からなり、各鋼板の両端部が前記固定手段によって地山に固定されていることを特徴とする請求項１に記載の法枠構造体。
【請求項３】
前記袋体を、前記鋼板の裏面側に取付手段によって予め取り付けておくことを特徴とする請求項１又は２に記載の法枠構造体。
【請求項４】
前記固定手段は、前記地山に打設されるロックボルトと、該ロックボルトの頭部を前記枠体に固定するナットとを有し、該ロックボルトの先端部を前記地山のすべり面よりも深層側の部分に定着させ、該ロックボルトの先端部と頭部との間をスライド手段を介して前記地山に対して相対的にスライド可能に構成したことを特徴とする請求項１から３の何れかに記載の法枠構造体。
【請求項５】
前記スライド支持手段は、管状のシース管と、該シース管の内部に充填される潤滑材とを備え、該シース管の外周側を地山側に固定し、該シース管の内周側に前記ロックボルトの先端部と頭部との間を相対的にスライド可能に挿通させたことを特徴とする請求項４に記載の法枠構造体。
【請求項６】
前記枠体を構成する複数の鋼板は、隣接する鋼板の端部間が連結金具を介して相互に連結され、該連結金具が前記固定手段によって前記地山に固定されていることを特徴とする請求項２から５の何れかに記載の法枠構造体。
【請求項７】
前記枠体を構成する複数の鋼板は、各鋼板の略中心部が前記固定手段によって前記地山に固定されるとともに、隣接する鋼板の端部間が相互に連結されていることを特徴とする請求項２から５の何れかに記載の法枠構造体。
【請求項８】
地山の所定の位置に所定の間隔ごとに複数本の固定手段を打設し、隣接する固定手段間に鋼板を敷設して、その鋼板の両端部を固定手段に固定し、このような鋼板の敷設作業を連続して行うことにより、地山の表面に複数の鋼板を格子状に配置し、各鋼板と地山の表面との間にそれぞれ膨張変形可能な袋体を介装させ、各袋体の内部に充填材を加圧充填することにより各鋼板を地山から離れる方向に押圧し、各鋼板の反力により地山にプレストレスを付与することを特徴とする法枠構造体の施工方法。
【請求項９】
地山の所定の位置に所定の間隔ごとに複数本の固定手段を打設し、各固定手段にそれぞれ連結金具を固定し、隣接する固定手段間にそれぞれ鋼板を配置し、各鋼板の端部をそれぞれ前記連結金具に連結し、各鋼板と地山の表面との間にそれぞれ膨張変形可能な袋体を介装させ、各袋体の内部に充填材を加圧充填することにより各鋼板を地山から離れる方向に押圧し、各鋼板の反力により地山にプレストレスを付与することを特徴とする法枠構造体の施工方法。
【請求項１０】
地山の所定の位置に所定の間隔ごとに複数本の固定手段を打設し、各固定手段にそれぞれ鋼板の略中心部を固定して、地山の表面に複数の鋼板を格子状に配置し、隣接する鋼板の端部間をそれぞれ相互に連結し、各鋼板と地山の表面との間にそれぞれ膨張変形可能な袋体を介装させ、各袋体の内部に充填材を加圧充填することにより各鋼板を地山から離れる方向に押圧し、各鋼板の反力により地山にプレストレスを付与することを特徴とする法枠構造体の施工方法。
【請求項１１】
前記袋体は、前記鋼板の裏面側に取付手段によって予め取り付けられていることを特徴とする請求項８から１０の何れかに記載の法枠構造体の施工方法。
【発明の詳細な説明】
【技術分野】
【０００１】
本発明は、法枠構造体及び法枠構造体の施工方法に関し、特に、斜面の安定化を図るのに有効な法枠構造体及び法枠構造体の施工方法に関する。
【背景技術】
【０００２】
地山の切土法面の安定化を図る工法の一例として、地山の斜面上に鉄筋を配筋し、金網製型枠を組み立てた後に、型枠内に吹付けコンクリートを打設することにより吹付け法枠工を構築し、この吹付け法枠工を切土補強土工の受圧構造体として機能させるように構成したものが提案されている（例えば、特許文献１参照。）。
【０００３】
また、他の例として、地山の斜面上にネットを敷設し、その上に高強力繊維製の袋を格子状に敷設し、その交点を地山に打設した固定手段であるロックボルトによって固定し、袋内にセメントモルタルを注入して硬化させることにより法枠工を構築し、この法枠工を受圧構造体として機能させるように構成したものが提案されている（例えば、特許文献２参照。）。
【特許文献１】特開平７−２９２６７９号公報
【特許文献２】特許第２８３６４８９号公報
【発明の開示】
【発明が解決しようとする課題】
【０００４】
ところで、上記のような構成の工法のうち、特許文献１に記載されている工法は、法枠と地山との密着が不完全で、地盤の変形を許容する構造であるため、切土補強土工の効果が発揮されるまでに、大きな地盤変形が生じる場合があり、地盤の滑りを押さえきれない場合がある。
【０００５】
また、法枠が断面形状の大きな鉄筋コンクリート部材から構成されているため、法面の緑化を図る場合に、法枠の全面を植物で覆うことができず、格子状の法枠の一部が露出して景観を損ねてしまうことがある。
【０００６】
さらに、地山の斜面上で、人力作業によって型枠、鉄筋の組立て、コンクリートの吹付けを行わなければならないため、法枠工の構築に多大な労力と時間を要してしまう。
【０００７】
さらに、法枠工を吹付けコンクリートによって構築しているため、コールドジョイントによる構造上の欠陥が生じる場合があり、このため、切土補強土工を１段毎に逆巻き施工した場合に、品質の確保が困難になる。
【０００８】
また、特許文献２に記載されている工法は、法枠工の地盤との密着性を高めるために袋体の内部にセメントモルタルを注入して硬化させているが、地盤に対してプレストレスを与えていないため、地山が滑ったときに初めて法枠工が機能することになり、地盤の滑りが大きい場合に、それを止めるのが困難になる。
【０００９】
本発明は、上記のような従来の問題に鑑みなされたものであって、地盤の変形の大小に関わらず、確実に地盤の滑りを抑止することができるとともに、逆巻き施工によって切土補強土工を構築した場合にも、一定の良品質を確保することができ、さらに、緑化を図る場合に、一部が露出して景観を損ねるようなことがなく、植物で全体を覆うことができる、法枠構造体及び法枠構造体の施工方法を提供することを目的とする。
【課題を解決するための手段】
【００１０】
上記のような課題を解決するために、本発明は、以下のような手段を採用している。
すなわち、請求項１に係る発明は、地山の表面に設けられる格子状の枠体と、地山に打設されて前記枠体の交点を地山に固定する固定手段と、前記枠体と前記地山との間に介装されて、前記枠体を地山から離れる方向に押圧する押圧手段とを備え、該押圧手段は、前記枠体と前記地山との間に介装される膨張変形可能な袋体と、該袋体内に加圧充填されて該袋体を介して前記枠体を押圧する充填材とからなることを特徴とする。
【００１１】
本発明による法枠構造体によれば、袋体の内部に加圧充填した充填材によって枠体が地山から離れる方向に押圧され、この枠体の反力によって地山にプレストレスが付与されることになる。従って、地盤の変形の大小に関わらず、地盤の滑りを確実に抑制することができる。また、地山に枠体を設置し、枠体を地山に固定手段によって固定し、袋体の内部に充填材を充填することにより、地山の表面に法枠構造体を構築することができるので、施工に要する手間と時間を削減することができ、施工性を大幅に高めることができる。
【００１２】
請求項２に係る発明は、請求項１に記載の法枠構造体であって、前記枠体は、前記地山の表面に格子状に配置される複数の鋼板からなり、各鋼板の両端部が前記固定手段によって地山に固定されていることを特徴とする。
【００１３】
本発明による法枠構造体によれば、枠体を鋼板によって構成しているので、枠体の断面積を小さくすることができる。従って、地山の斜面を緑化する場合に、枠体の全体を植物で覆うことができるので、景観をよくすることができる。
【００１４】
請求項３に係る発明は、請求項１又は２に記載の法枠構造体であって、前記袋体を、前記鋼板の裏面側に取付手段によって予め取り付けておくことを特徴とする。
【００１５】
本発明による法枠構造体によれば、鋼板の裏面側に取付手段によって袋体を予め取り付けておくことができるので、施工現場で袋体を装着する手間を削減することができ、施工性を高めることができる。
【００１６】
請求項４に係る発明は、請求項１から３の何れかに記載の法枠構造体であって、前記固定手段は、前記地山に打設されるロックボルトと、該ロックボルトの頭部を前記枠体に固定するナットとを有し、該ロックボルトの先端部を前記地山のすべり面よりも深層側の部分に定着させ、該ロックボルトの先端部と頭部との間をスライド手段を介して前記地山に対して相対的にスライド可能に構成したことを特徴とする。
【００１７】
本発明による法枠構造体によれば、ロックボルトは、先端部のみが地山のすべり面よりも深層側の部分に定着され、先端部と頭部との間がスライド手段を介して地山に対して相対的にスライド可能に構成されるので、袋体の内部に加圧充填した充填材によって枠体を地山から離れる方向に押圧したときに、地山のすべり面よりも表層側の部分にすべり面から離れる方向への力が作用するようなことはなく、地山のすべり面よりも表層側の部分を袋体の反力によって深層側の方向へ押圧することができ、地山に対するプレストレス効果を高めることができる。
【００１８】
請求項５に係る発明は、請求項４に記載の法枠構造体であって、前記スライド支持手段は、管状のシース管と、該シース管の内部に充填される潤滑材とを備え、該シース管の外周側を地山側に固定し、該シース管の内周側に前記ロックボルトの先端部と頭部との間を相対的にスライド可能に挿通させたことを特徴とする。
【００１９】
本発明による法枠構造体によれば、地山に削孔した孔内にロックボルトをスライド支持手段を介して挿入し、孔内にセメントミルクを注入して固化させることにより、ロックボルトの先端部が地山の滑り面よりも深層側の部分に定着され、シース管の外周側が地山に定着され、ロックボルトの頭部と先端部との間がシース管（地山）に対して潤滑材を介して相対的にスライド可能となる。
【００２０】
請求項６に係る発明は、請求項２から５の何れかに記載の法枠構造体であって、前記枠体を構成する複数の鋼板は、隣接する鋼板の端部間が連結金具を介して相互に連結され、該連結金具が前記固定手段によって前記地山に固定されていることを特徴とする。
【００２１】
本発明による法枠構造体によれば、地山の表面の凹凸等によって固定手段の地山に対する打設位置に多少の誤差が生じても、その誤差を連結金具と鋼板の端部との連結部の重ね代等を調整することによって容易に吸収することができるので、固定手段の打設位置の精度に影響を受けることなく、地山の表面に枠体を敷設することができる。
【００２２】
請求項７に係る発明は、請求項２から５の何れかに記載の法枠構造体であって、前記枠体を構成する複数の鋼板は、各鋼板の略中心部が前記固定手段によって前記地山に固定されるとともに、隣接する鋼板の端部間が相互に連結されていることを特徴とする。
【００２３】
本発明による法枠構造体によれば、地山の表面の凹凸等によって固定手段の地山に対する打設位置に多少の誤差が生じても、その誤差を隣接する鋼板の端部間の連結部の重ね代等を調整することによって容易に吸収することができるので、固定手段の打設位置の精度に影響を受けることなく、地山の表面に枠体を敷設することができる。
【００２４】
請求項８に係る発明は、地山の所定の位置に所定の間隔ごとに複数本の固定手段を打設し、隣接する固定手段間に鋼板を敷設して、その鋼板の両端部を固定手段に固定し、このような鋼板の敷設作業を連続して行うことにより、地山の表面に複数の鋼板を格子状に配置し、各鋼板と地山の表面との間にそれぞれ膨張変形可能な袋体を介装させ、各袋体の内部に充填材を加圧充填することにより各鋼板を地山から離れる方向に押圧し、各鋼板の反力により地山にプレストレスを付与することを特徴とする。
【００２５】
本発明による法枠構造体の施工方法によれば、地山に複数本の固定手段を打設し、隣接する固定手段間に鋼板を敷設し、鋼板の両端部を固定手段に固定することにより、地山の斜面上に格子状の枠体を構築することができる。そして、各鋼板と地山との間にそれぞれ袋体を介装させ、各袋体の内部に充填材を加圧充填することにより、充填材によって各鋼板を地山から離れる方向に押圧し、このときの各鋼板の反力によって地山に対してプレストレスを与えることができる。
【００２６】
請求項９に係る発明は、地山の所定の位置に所定の間隔ごとに複数本の固定手段を打設し、各固定手段にそれぞれ連結金具を固定し、隣接する固定手段間にそれぞれ鋼板を配置し、各鋼板の端部をそれぞれ前記連結金具に連結し、各鋼板と地山の表面との間にそれぞれ膨張変形可能な袋体を介装させ、各袋体の内部に充填材を加圧充填することにより各鋼板を地山から離れる方向に押圧し、各鋼板の反力により地山にプレストレスを付与することを特徴とする。
【００２７】
本発明による法枠構造体の施工方法によれば、地山に複数本の固定手段を打設し、各固定手段にそれぞれ連結金具を固定し、隣接する固定手段間にそれぞれ鋼板を配置し、各鋼板の端部をそれぞれ連結金具に連結することにより、地山の斜面上に格子状の枠体を構築することができる。この場合、地山の表面の凹凸等によって固定手段の地山に対する打設位置に多少の誤差が生じても、その誤差を連結金具と鋼板の端部との連結代を調整することによって吸収することができる。そして、各鋼板と地山との間にそれぞれ袋体を介装させ、各袋体の内部に充填材を加圧充填することにより、充填材によって各鋼板を地山から離れる方向に押圧し、このときの各鋼板の反力によって地山に対してプレストレスを与えることができる
【００２８】
請求項１０に係る発明は、地山の所定の位置に所定の間隔ごとに複数本の固定手段を打設し、各固定手段にそれぞれ鋼板の略中心部を固定して、地山の表面に複数の鋼板を格子状に配置し、隣接する鋼板の端部間をそれぞれ相互に連結し、各鋼板と地山の表面との間にそれぞれ膨張変形可能な袋体を介装させ、各袋体の内部に充填材を加圧充填することにより各鋼板を地山から離れる方向に押圧し、各鋼板の反力により地山にプレストレスを付与することを特徴とする。
【００２９】
本発明による法枠構造体の施工方法によれば、地山に複数本の固定手段を打設し、各固定手段にそれぞれ鋼板の略中心部を固定し、隣接する鋼板の端部間をそれぞれ連結することにより、地山の斜面上に格子状の枠体を構築することができる。この場合、地山の表面の凹凸等によって固定手段の地山に対する打設位置に多少の誤差が生じても、その誤差を隣接する鋼板の端部間の連結代を調整することによって吸収することができる。そして、各鋼板と地山との間にそれぞれ袋体を介装させ、各袋体の内部に充填材を加圧充填することにより、充填材によって各鋼板を地山から離れる方向に押圧し、このときの各鋼板の反力によって地山に対してプレストレスを与えることができる
【００３０】
請求項１１に係る発明は、請求項８から１０に記載の法枠構造体の施工方法であって、前記袋体は、前記鋼板の裏面側に取付手段によって予め取り付けられていることを特徴とする。
【００３１】
本発明による法枠構造体の施工方法によれば、鋼板を地山に敷設する際に、鋼板と地山との間に同時に袋体を介装させることができるので、施工に要する手間と時間を削減することができ、施工性を高めることができる。
【発明の効果】
【００３２】
以上、説明したように、本発明の法枠構造体及び法枠構造体の施工方法によれば、地山に対してプレストレスを与えることができるので、地盤の変形の大小に関わらず、地盤に発生する滑りを確実に抑止することができる。また、枠体を複数の鋼板によって構成しているので、枠体の断面積を小さくすることができ、地山の斜面の緑化を図る場合に、枠体の全体を植物で覆うことができ、景観を良くすることができる。さらに、固定手段で鋼板を固定し、鋼板と地山との間に袋体を介装し、袋体の内部に充填材を加圧充填することによって施工することができるので、施工に要する手間と労力を削減することができる。さらに、袋体を鋼板の裏面側に予め取り付けておくことにより、施工性をさらに高めることができる。
【００３３】
さらに、固定手段のロックボルトの先端部を地山のすべり面よりも深層側の部分に定着させ、ロックボルトの頭部と先端部との間をスライド手段を介して地山に対して相対的にスライド可能に構成したので、袋体の内部に充填材を加圧充填して枠体を地山から離れる方向に押圧したときに、地山のすべり面よりも表層側の部分にすべり面から離れる方向への力が作用するようなことはなく、地山のすべり面よりも表層側の部分を袋体の反力によって深層側の方向へ押圧することができ、地山に対するプレストレスを高めることができる。
【００３４】
さらに、地山の表面の凹凸等によって固定手段の地山に対する打設位置に多少の誤差が生じても、その誤差を連結金具と鋼板の端部との連結部の重ね代等を調整することにより、又は隣接する鋼板の端部間の連結部の重ね代等を調整することにより吸収することができるので、固定手段の打設位置の精度に影響を受けることなく、地山の表面に枠体を敷設することができる。
【発明を実施するための最良の形態】
【００３５】
以下、図面に示す本発明の実施の形態について説明する。
図１〜図３には、本発明による法枠構造体の第１の実施の形態が示されていて、図１は全体の平面図、図２は図１のＡ−Ａ線断面図、図３は図１の部分拡大図、図４は図３のＢ−Ｂ線断面図、図５は鋼板と袋体との関係を示した斜視図、図６は袋体の内部に充填材を充填する前の状態を示した説明図、図７は袋体の内部に充填材を充填した後の状態を示した説明図である。
【００３６】
すなわち、本実施の形態に示す法枠構造体１は、図１及び図２に示すように、地山２５の斜面２６上に格子状に設けられる枠体２と、枠体２を地山２５の斜面２６上に固定する固定手段１０であるロックボルト１０と、枠体２と地山２５の斜面２６との間に介装されて、枠体２を地山２５の斜面から離れる方向に押圧する押圧手段１４とを備えている。
【００３７】
枠体２は、地山２５の斜面２６上に複数の鋼板３を格子状に配置し、各交点をロックボルト１０により地山２５に固定することにより、斜面２６上に四角形格子状又は三角形格子状（この実施の形態においては四角形格子状）に形成したものであって、この枠体２の反力によって地山２５の斜面２６に対してプレストレスが付与される。
【００３８】
各鋼板３は、長方形板状をなすものであって、図５及び図６に示すように、長手方向の両端中央部にそれぞれロックボルト挿通用の孔４が貫通した状態で設けられ、このロックボルト挿通用の孔４内に地山２５に打設したロックボルト１０の頭部１１を挿通させることにより、ロックボルト１０を介して地山２５の斜面２６上に固定される。
【００３９】
各鋼板３の表面には、耐候性を高めるためにメッキ等による防錆処理が施され、経時的に劣化するのを防止している。各鋼板３の裏面側には、一方の長辺に沿って所定の間隔ごとに複数の棒状のずれ止め５が一体に立設され、このずれ止め５によって後述する袋体１５が各鋼板３の裏面側の所定の位置からずれるのを防止している。なお、ずれ止め５を設ける代わりに、袋体１５を接着剤により各鋼板３の裏面側に接着してもよい。
【００４０】
枠体２は、各辺を１枚の鋼板３によって構成してもよいし、２枚以上の鋼板３を重ねて構成してもよい。２枚以上の鋼板３を重ねて構成する場合には、隣接する鋼板３間を接合してもよいし、非接合状態としてもよい。隣接する鋼板３間を接合するには、溶接、ボルト等の接合手段が挙げられる。
【００４１】
ロックボルト１０は、異形鉄筋等からなるものであって、地山２５の斜面２６に所定の間隔ごとに複数本打設される。各ロックボルト１０は、周知のロックボルト打設工法によって地山２５に打設され、例えば、図４に示すように、削孔ロッドによって地山２５の斜面２６に所定の深さの孔２７を削孔し、削孔ロッドを引き抜いた後の孔２７内に異形鉄筋等からなるロックボルト１０を挿入し、ロックボルト１０の頭部１１を斜面２６から所定の長さ突出させた状態で孔２７内にセメントミルク２１を注入し、セメントミルク２１を硬化させることによりロックボルト１０を地山２５に固定する。
【００４２】
各ロックボルト１０の地山２５の斜面２６から突出している頭部１１にはネジが螺設され、各ロックボルト１０の頭部１１を各鋼板３のロックボルト挿通用の孔４内を挿通させ、各鋼板３の表面から突出させた各ロックボルト１０の頭部１１にプレート１２を介してナット１３を螺着させ、所定のトルクで締め付けることにより、各鋼板３がロックボルト１０を介して地山２５に固定される。
【００４３】
押圧手段１４は、枠体２の各鋼板３と地山２５の斜面との間にそれぞれ介装される袋体１５と、各袋体１５の内部に加圧充填される充填材２０とから構成されている。袋体１５は、袋状をなすものであって、耐圧性を有する材料（例えば、合成樹脂、ゴム等）から形成される。袋体１５の材料としては、透水性を有するもの、又は非透水性を有するものを用いることができる。透水性を有するものは、表面から汗をかく程度の透水性を有するものが好ましい。充填材２０としては、流動性があり、かつ所定の時間経過後に硬化する性質を有するもの、例えば、懸濁型充填材、溶液型充填材が挙げられる。
【００４４】
各袋体１５は、図３に示すように、各鋼板３の全長よりもやや短く、全幅よりもやや大幅に形成され、内部に充填材２０を加圧充填することにより膨張変形し、各鋼板３を地山２５の斜面２６から離れる方向に押圧し、各鋼板３を湾曲変形させる。
【００４５】
各袋体１５の内部に加圧充填された充填材２０は、所定の時間経過することによって硬化し、各鋼板３を湾曲変形した状態に保持する。これにより、各鋼板３の反力が各袋体１５（充填材２０）を介して地山２５の斜面２６に付与され、地山２５の斜面２６に対してプレストレスが与えられる。
【００４６】
袋体１５を鋼板３の裏面側に接着剤等の取付手段によって予め取り付けておいてもよい。このように鋼板３の裏面側に袋体１５を予め取り付けておくことにより、鋼板３を地山２５の斜面２６上に設置する際に、袋体１５も同時に所定の位置に設置することができるので、袋体１５の設置工程を新たに設ける必要はなく、施工性を高めることができる。
【００４７】
次に、上記のような構成の法枠構造体１の施工方法について説明する。
まず、図６に示すように、地山２５の斜面２６の所定の位置（枠体２の交点に対応する部分）に削孔ロッドにより所定の深さの孔２７を削孔し、削孔ロッドを抜いた後の孔２７内に異形鉄筋等からなるロックボルト１０を挿入し、ロックボルト１０の頭部１１を斜面から所定の長さ突出させ、孔２７内にセメントミルク２１を注入して硬化させることにより、孔２７内にセメントミルク２１を介してロックボルト１０を固定する。
【００４８】
次に、隣接するロックボルト１０、１０間にそれぞれ鋼板３を配置し、鋼板３の両端部のロックボルト挿通用の孔４内にロックボルト１０の頭部１１を挿通させ、鋼板３の表面から突出させたロックボルト１０の頭部１１にプレート１２を介してナット１３を螺着させる。
【００４９】
そして、各鋼板３と地山２５の斜面２６との間にそれぞれ袋体１５を介装させ、各ナット１３を所定のトルクで締め付け、各鋼板３を地山２５の斜面２６上にロックボルト１０を介して固定する。なお、袋体１５が予め鋼板３の裏面側に取り付けられている場合には、袋体１５を鋼板３と地山２５の斜面２６との間に介装させる作業を省略することができる。
【００５０】
そして、図７に示すように、各袋体１５の内部に充填材２０を加圧充填して各袋体１５を膨張変形させ、各鋼板３を地山２５の斜面２６から離れる方向に押圧し、各鋼板３を弾性変形させて湾曲させる。この場合、各鋼板３が降伏しない程度に各袋体１５の内部に充填材２０を加圧充填する。
【００５１】
そして、各袋体１５の内部に充填材２０を加圧充填した状態を所定の時間保持し、充填材２０が硬化した後に加圧状態を解除する。又は、袋体１５の注入口に予め逆止弁（図示せず）を設けておき、所要の圧力になった時に注入を停止するようにしてもよい。このようにして、地山２５の斜面２６上に法枠構造体１を構築することができ、この法枠構造体１の枠体２からの反力によって地山２５の斜面２６にプレストレスを付与することができる。
【００５２】
上記のように構成した本実施の形態による法枠構造体１及び法枠構造体１の施工方法にあっては、枠体２の各鋼板３からの反力によって地山２５の斜面２６にプレストレスを与えることができるので、地盤の変形の大小に関わらず、地盤の変形（滑り）を抑制することができる。
【００５３】
また、枠体２を構成する各鋼板３の断面積は小さいものであるので、地山２５の斜面２６の緑化を図る場合に、斜面２６に植栽した植物によって枠体２の全体を覆うことができる。従って、枠体２の一部が植物中から露出するようなことはないので、景観をよくすることができる。なお、地山２５の斜面２６の緑化を図る場合に、枠体２の各鋼板３に取り付けた袋体１５に予め種苗等を設けておいてもよい。また、枠体２に植生基板（不織布、椰子マット等）を取り付けておき、この植生基板に種苗を吹き付けるようにしてもよい。
【００５４】
さらに、地山２５の斜面２６にロックボルト１０を打設し、ロックボルト１０に鋼板３の端部を固定し、ロックボルト１０と地山２５の斜面２６との間に介装させた袋体１５内に充填材２０を加圧充填することにより、地山２５の斜面２６上に法枠構造体１を構築することができるので、法枠構造体１の施工に要する手間と時間を削減することができ、施工性を大幅に高めることができる。
【００５５】
さらに、施工に要する時間を短縮することができるので、品質のばらつき等の構造上の欠陥を解消でき、切土補強土工の１段ごとの施工が可能になり、逆巻き施工が可能になる。
【００５６】
図８及び図９には、本発明による法枠構造体１の第２の実施の形態が示されていて、この法枠構造体１は、ロックボルト１０をスライド手段３１を介して地山２５の孔２７内に設けて、ロックボルト１０の先端部（定着部１６）を地山２５のすべり面２８よりも深層側の部分２９に定着させ、先端部１６と頭部１１との間（スライド部１７）を地山２５に対して相対的にスライド可能に構成したものであって、その他の構成は前記第１の実施の形態に示すものと同様である。
【００５７】
この場合、スライド手段３１は、図９に示すように、塩化ビニル等からなる管状のシース管３２と、シース管３２の内部に充填されるグリス等の潤滑材３３とから構成され、シース管３２の両端開口部は潤滑材３３が漏れるのを防止するために、塩化ビニル等からなる蓋材３４によって閉塞されている。
【００５８】
このような構成のスライド手段３１のシース管３２の中心部にロックボルト１０を挿通させ、この状態でシース管を３２地山２５の孔２７内に挿入し、孔２７内にセメントミルク２１を注入して固化させることにより、ロックボルト１０の先端部（定着部１６）が地山２５のすべり面２８よりも深層側の部分２９に定着され、ロックボルト１０の先端部１６と頭部１１との間（スライド部１７）が潤滑材３３を介してシース管３２、すなわち地山２５に対して相対的にスライド可能に構成することができる。
【００５９】
なお、スライド手段３１は、上記の組合せのものに限らず、ロックボルト１０の先端部（定着部１６）と頭部１１との間（スライド部１７）を地山２５に対してスライド可能に構成することができるものであればよい。
【００６０】
そして、上記のように構成した本実施の形態による法枠構造体１にあっても、前記第１の実施の形態に示すものと同様の作用効果を奏する他に、ロックボルト１０の先端部（定着部１６）を地山２５のすべり面２８よりも深層側の部分２９に定着させ、ロックボルト１０の頭部１１と先端部１６との間（スライド部１７）を地山２５に対して相対的にスライド可能に構成しているので、袋体１５の内部に加圧充填した充填材２０によって枠体２を地山２５から離れる方向に押圧したときに、地山２５のすべり面２８よりも表層側の部分３０にすべり面２８から離れる方向への力が作用するようなことはない。従って、地山２５のすべり面２８よりも表層側の部分３０を袋体１５の反力によって深層側の部分２９の方向へ押圧することができるので、地山２５に対するプレストレスをより高めることができ、すべり面２８よりも表層側の部分２９にすべりが生じるのを確実に防止できる。
【００６１】
図１０及び図１１には、本発明による法枠構造体の第３の実施の形態が示されていて、この法枠構造体１は、地山２５に打設した固定手段のロックボルト１０の頭部１１に連結金具３５を固定し、この連結金具３５によって格子状の枠体２の隣接する鋼板３の端部間を連結するように構成したものであって、その他の構成は前記第１の実施の形態に示すものと同様である。
【００６２】
連結金具３５は、図１１に示すように、十字板状をなすものであって、中心部に固定手段のロックボルト１０を挿通させるためのロックボルト挿通用孔３６が穿設され、各突出部３８にそれぞれ連結手段であるボルト３９を挿通させるためのボルト挿通用孔３７が穿設されている。
【００６３】
このような構成の連結金具３５を用いて枠体２の隣接する鋼板３同士を連結するには、連結金具３５のロックボルト挿通用孔３６内に固定手段のロックボルト１０の頭部１１を挿通させ、連結金具３５から突出させたロックボルト１０の頭部１１にナット１３を螺合させて締め付けることにより、連結金具３５を地山２５の表面に固定する。
【００６４】
そして、隣接する固定手段のロックボルト１０間にそれぞれ枠体２を構成する鋼板３を配置し、各鋼板３の端部と連結金具３５の各突出部３８との間を連結手段であるボルト、３９ナット４０、又は溶接により一体に連結し、地山２５の表面上に格子状の枠体２を構成すればよい。なお、連結手段としてボルト３９、ナット４０を使用する場合には、固定手段のロックボルト１０に連結金具３５を固定した状態で、連結金具３５の突出部３８に鋼板３の端部を重ね合わせ、連結金具３５のボルト挿通用孔３７に対応する鋼板３の部分にボルト挿通用の孔（図示せず）を穿設し、両ボルト挿通用孔間３７にボルト３９を挿通させてナット４０で締め付ければよい。
【００６５】
そして、この後に、各鋼板３と地山２５の表面との間に袋体１５を挿入し、袋体１５の内部に充填材２０を加圧充填し、各袋体１５を膨張変形させることにより、各鋼板３を地山２５の斜面２６から離れる方向に押圧し、各鋼板３を弾性変形させて湾曲させる。
【００６６】
そして、各袋体１５の内部に充填材２０を加圧充填した状態を所定の時間保持し、充填材２０が硬化した後に加圧状態を解除する。このようにして、地山２５の斜面２６上に法枠構造体１を構築することができ、この法枠構造体１の枠体２からの反力によって地山２５の斜面２６にプレストレスを付与することができる。
【００６７】
上記のように構成した本実施の形態による型枠構造体１にあっても、前記第１の実施の形態に示すものと同様の作用効果を奏する他に、固定手段のロックボルト１０に連結金具３５を固定し、この連結金具３５に枠体２の鋼板３の端部を連結手段であるボルト３９、ナット４０を介して連結するように構成したので、地山２５の表面の凹凸等によって固定手段（ロックボルト１０）の地山２５に対する打設位置に多少の誤差が生じても、その誤差を連結金具３５と鋼板３の端部との連結部の重ね代を調整することによって容易に吸収することができる。従って、固定手段のロックボルト１０の打設位置の精度に影響を受けることなく、地山２５の表面に枠体２を敷設することができる。
【００６８】
図１２及び図１３には、本発明による法枠構造体の第４の実施の形態が示されていて、この法枠構造体１は、枠体２を構成する鋼板３の略中心部に固定手段のロックボルト１０を挿通させるロックボルト挿通用孔３ａを穿設し、この鋼板３のロックボルト挿通用孔３ａにロックボルト１０の頭部１１を挿通させてナット１３で締め付けることにより、ロックボルト１０の頭部１１に鋼板３を固定し、隣接するロックボルト１０に固定した鋼板３の端部間を重ね合わせて、重ね合わせた部分をボルト、ナット、溶接等の連結手段によって一体に連結することにより、地山２５の表面に格子状の枠体を構成したものであって、その他の構成は前記第１の実施の形態に示すものと同様である。
【００６９】
そして、本実施の形態に示す法枠構造体１にあっても、前記第１の実施の形態に示すものと同様の作用効果を奏する他に、各固定手段のロックボルト１０に鋼板３の中心部を固定し、その後に隣接する鋼板３の端部間を重ね合わせて連結手段によって連結しているので、地山２５の表面の凹凸等によって固定手段（ロックボルト１０）の地山２５に対する打設位置に多少の誤差が生じても、その誤差を隣接する鋼板３の端部同士の連結部の重ね代を調整することによって容易に吸収することができる。従って、固定手段のロックボルト１０の打設位置の精度を高める必要はなく、地山２５の表面に枠体２を敷設することができる。
【００７０】
なお、前記各実施の形態においては、枠体２の隣接する鋼板３同士の交点、連結金具３５、又は鋼板３の略中心部を固定手段であるロックボルト１０によって地山２５の斜面２６に固定したが、固定手段１０としてロックボルト１０の代わりにグラウンドアンカー（図示せず）を使用してもよい。
【００７１】
また、前記の説明においては、枠体２を複数の鋼板３を格子状に配置して構成したが、鋼材を梯子状に組み合わせたものによって枠体を構成してもよいし、その他の形状の鋼材によって枠体を構成してもよい。さらに、枠体２を、合成繊維、炭素繊維等を素材としてベルト状に織り込んだものによって構成してもよい。ベルト状に折り込んだものとして、図１４に示すように、強度の異なる２つの部分（強度の低い疎の部分２ａ及び強度の高い密の部分２ｂ）を有する素材（ジオテキスタイル等）が挙げられ、このような素材を地山２５の表面に敷設し、密の部分２ｂによって枠体２を構成し、疎の部分２ａによって枠体２の内側の地山２５の表面を被覆するように構成してもよい。枠体２は、要は、袋体１５の膨張変形よって湾曲変形して、反力を地山２５の斜面２６側に付与することができる形状、素材であればよい。
【図面の簡単な説明】
【００７２】
【図１】本発明による法枠構造体の第１の実施の形態を示した平面図である。
【図２】図１のＡ−Ａ線断面図である。
【図３】図１の部分拡大図である。
【図４】図３のＢ−Ｂ線断面図である。
【図５】鋼板と袋体との関係を示した斜視図である。
【図６】袋体の内部に充填材を充填する前の状態を示した説明図である。
【図７】袋体の内部に充填材を充填した後の状態を示した説明図である。
【図８】本発明による法枠構造体の第２の実施の形態を示した概略断面図である。
【図９】図８の部分拡大図である。
【図１０】本発明による法枠構造体の第３の実施の形態を示した平面図である。
【図１１】図１０の部分拡大図である。
【図１２】本発明による法枠構造体の第４の実施の形態を示した平面図である。
【図１３】図１２の部分拡大図である。
【図１４】本発明による法枠構造体の枠体の変形例を示した模式図である。
【符号の説明】
【００７３】
１  法枠構造体                      ２  枠体
２ａ  疎の部分                      ２ｂ  密の部分
３  鋼板                            ３ａ  ロックボルト挿通用孔
４  ロックボルト挿通用の孔          ５  ずれ止め
１０  固定手段（ロックボルト）      １１  頭部
１２  プレート                      １３  ナット
１４  押圧手段                      １５  袋体
１６  先端部（定着部）              １７  スライド部
２０  充填材                        ２１  セメントミルク
２５  地山                          ２６  斜面
２７  孔                            ２８  すべり面
２９  深層側の部分                  ３０  表層側の部分
３１  スライド手段                  ３２  シース管
３３  潤滑材                        ３４  蓋材
３５  連結金具                      ３６  ロックボルト挿通用孔
３７  ボルト挿通用孔                ３８  突出部
３９  ボルト                        ４０  ナット
【図１】
2006283548.tif 000003
【図２】
2006283548.tif 000004
【図３】
2006283548.tif 000005
【図４】
2006283548.tif 000006
【図５】
2006283548.tif 000007
【図６】
2006283548.tif 000008
【図７】
2006283548.tif 000009
【図８】
2006283548.tif 000010
【図９】
2006283548.tif 000011
【図１０】
2006283548.tif 000012
【図１１】
2006283548.tif 000013
【図１２】
2006283548.tif 000014
【図１３】
2006283548.tif 000015
【図１４】
2006283548.tif 000016